(57)【特許請求の範囲】
【請求項１】
床と、
前記床上の空間を部屋に仕切る側壁と、
前記床上に行方向に配列される複数の発熱装置列であって、各発熱装置列は列状に配列される複数の発熱装置を含む、複数の発熱装置列と、
前記複数の発熱装置列に対して前記行方向に対する側方に配置される複数のエア吹出口を有し、前記複数のエア吹出口から列方向にエアを吹き出すエア吹出装置と、
前記行方向における第１側から第２側に向かって高さが高くなる傾斜天井と
を含み、
前記複数のエア吹出口は、前記行方向に対する両側に配置されており、前記行方向における両側からエアを吹き出し、
前記複数のエア吹出口は、前記行方向に対する第１の側方と第２の側方とで、前記行方向において互い違いに配置される、データセンタ。
【請求項２】
床と、
前記床上の空間を部屋に仕切る側壁と、
前記床上に行方向に配列される複数の発熱装置列であって、各発熱装置列は列状に配列される複数の発熱装置を含む、複数の発熱装置列と、
前記複数の発熱装置列に対して前記行方向に対する側方に配置される複数のエア吹出口を有し、前記複数のエア吹出口から列方向にエアを吹き出すエア吹出装置と、
前記行方向における第１側から第２側に向かって高さが高くなる傾斜天井と
を含み、
前記複数の発熱装置列の各々に含まれる発熱装置の数は、前記行方向における前記第１側よりも前記第２側の方が多い、データセンタ。
【請求項３】
前記複数の発熱装置列の各々と、前記傾斜天井とのクリアランスは、前記第１側から前記第２側に向かって大きくなる、請求項１又は２記載のデータセンタ。
【請求項４】
前記行方向における前記第２側において前記側壁に設けられ、前記部屋内のエアを排気する排気口をさらに含む、請求項１乃至３のいずれか一項記載のデータセンタ。
【請求項５】
前記排気口の高さは、前記第１側における前記傾斜天井の高さ以上である、請求項４記載のデータセンタ。
【請求項６】
前記排気口は、前記第２側において前記傾斜天井の真下に位置する、請求項４記載のデータセンタ。
【請求項７】
前記複数のエア吹出口の前記床からの高さは、前記床と前記傾斜天井との高さの半分以下である、請求項１乃至６のいずれか一項記載のデータセンタ。
【請求項８】
前記複数のエア吹出口は、前記床との間に高低差を有する、請求項１乃至７のいずれか一項記載のデータセンタ。
【請求項９】
前記エア吹出装置は、前記複数のエア吹出口にエアを送る送風装置を有し、
前記送風装置は、前記側壁に対して前記部屋の外部に配置される、請求項１乃至８のいずれか一項記載のデータセンタ。
【請求項１０】
前記エア吹出装置は、室温よりも低い所定温度の冷却エアを吹き出す、請求項１乃至９のいずれか一項記載のデータセンタ。
【請求項１１】
床と、
前記床上の空間を第１の部屋に仕切る第１側壁と、
前記床上に行方向に配列される複数の第１発熱装置列であって、各第１発熱装置列は列状に配列される複数の第１発熱装置を含む、複数の第１発熱装置列と、
前記複数の第１発熱装置列に対して前記行方向に対する側方に配置される複数の第１エア吹出口を有し、前記複数の第１エア吹出口から列方向にエアを吹き出す第１エア吹出装置と、
前記行方向における第１側から第２側に向かって高さが高くなる第１傾斜天井と、
前記床上の空間を第２の部屋に仕切る第２側壁と、
前記床上に行方向に配列される複数の第２発熱装置列であって、各第２発熱装置列は列状に配列される複数の第２発熱装置を含む、複数の第２発熱装置列と、
前記複数の第２発熱装置列に対して前記行方向に対する側方に配置される複数の第２エア吹出口を有し、前記複数の第２エア吹出口から列方向にエアを吹き出す第２エア吹出装置と、
前記行方向における前記第２側から前記第１側に向かって高さが高くなる第２傾斜天井と、
前記第１の部屋と前記第２の部屋との間に配置される廊下と
を含み、
前記複数の第１エア吹出口及び前記複数の第２エア吹出口は、前記行方向に対する両側に配置されており、前記行方向における両側からエアを吹き出し、
前記複数の第１エア吹出口及び前記複数の第２エア吹出口は、前記行方向に対する第１の側方と第２の側方とで、前記行方向において互い違いに配置される、データセンタ。
【請求項１２】
床と、
前記床上の空間を第１の部屋に仕切る第１側壁と、
前記床上に行方向に配列される複数の第１発熱装置列であって、各第１発熱装置列は列状に配列される複数の第１発熱装置を含む、複数の第１発熱装置列と、
前記複数の第１発熱装置列に対して前記行方向に対する側方に配置される複数の第１エア吹出口を有し、前記複数の第１エア吹出口から列方向にエアを吹き出す第１エア吹出装置と、
前記行方向における第１側から第２側に向かって高さが高くなる第１傾斜天井と、
前記床上の空間を第２の部屋に仕切る第２側壁と、
前記床上に行方向に配列される複数の第２発熱装置列であって、各第２発熱装置列は列状に配列される複数の第２発熱装置を含む、複数の第２発熱装置列と、
前記複数の第２発熱装置列に対して前記行方向に対する側方に配置される複数の第２エア吹出口を有し、前記複数の第２エア吹出口から列方向にエアを吹き出す第２エア吹出装置と、
前記行方向における前記第２側から前記第１側に向かって高さが高くなる第２傾斜天井と、
前記第１の部屋と前記第２の部屋との間に配置される廊下と
を含み、
前記複数の第１発熱装置列の各々に含まれる第１発熱装置、及び、前記複数の第２発熱装置列の各々に含まれる第２発熱装置の数は、前記行方向における前記第１側よりも前記第２側の方が多い、データセンタ。
【請求項１３】
前記第１傾斜天井と前記第２傾斜天井は、前記列方向からの側面視において、前記廊下に対して左右対称であり、
前記複数の第１発熱装置列と前記複数の第２発熱装置列とは、平面視において前記廊下に対して左右対称であるとともに、前記列方向からの側面視において、前記廊下に対して左右対称であり、
前記複数の第１エア吹出口と前記複数の第２エア吹出口とは、前記列方向からの側面視において、前記廊下に対して左右対称である、請求項１１又は１２記載のデータセンタ。
【請求項１４】
前記行方向における前記第２側において前記第１側壁に設けられ、前記第１の部屋内のエアを排気する第１排気口と、
前記行方向における前記第１側において前記第２側壁に設けられ、前記第２の部屋内のエアを排気する第２排気口と
をさらに含む、請求項１１乃至１３のいずれか一項記載のデータセンタ。
【請求項１５】
前記第１傾斜天井と前記第２傾斜天井は、前記列方向からの側面視において、前記廊下に対して左右対称であり、
前記複数の第１発熱装置列と前記複数の第２発熱装置列とは、平面視において前記廊下に対して左右対称であるとともに、前記列方向からの側面視において、前記廊下に対して左右対称であり、
前記複数の第１エア吹出口と前記複数の第２エア吹出口とは、前記列方向からの側面視において、前記廊下に対して左右対称であり、
前記第１排気口と前記第２排気口とは、前記列方向からの側面視において、前記廊下に対して左右対称である、請求項１４記載のデータセンタ。
【発明の詳細な説明】
【技術分野】
【０００１】
本発明は、データセンタに関する。
【背景技術】
【０００２】
従来より、データセンタの部屋内に、底床と、底床の上に設けられ、貫通孔を有するアクセスフロアとを含む二重床を設け、部屋の側方に配置したエアコンディショナの送風を底床とアクセスフロアとの間に通し、底床とアクセスフロアとの間で送風を遮って風向きを上向きに変化させる風向調整板を設けることにより、アクセスフロアの上に配置されるラック型サーバに風を供給するデータセンタがある（例えば、特許文献１参照）。
【先行技術文献】
【特許文献】
【０００３】
【特許文献１】米国特許出願公開第２０１３／００３１９２８号明細書
【発明の概要】
【発明が解決しようとする課題】
【０００４】
ところで、従来のデータセンタは、ラック型サーバのような発熱装置に供給した風（エア）を部屋内でどのように誘導するかについては特に工夫が行われていない。発熱装置を冷却したエアは温度が上昇しており、部屋内のアクセスフロアよりも上の空間に貯まるため、従来のデータセンタは、発熱装置を効率的に冷却することができない。【０００５】
そこで、発熱装置を効率的に冷却できるデータセンタを提供することを目的とする。
【課題を解決するための手段】
【０００６】
本発明の実施の形態のデータセンタは、床と、前記床上の空間を部屋に仕切る側壁と、前記床上に行方向に配列される複数の発熱装置列であって、各発熱装置列は列状に配列される複数の発熱装置を含む、複数の発熱装置列と、前記複数の発熱装置列に対して前記行方向に対する側方に配置される複数のエア吹出口を有し、前記複数のエア吹出口から列方向にエアを吹き出すエア吹出装置と、前記行方向における第１側から第２側に向かって高さが高くなる傾斜天井とを含み、前記複数のエア吹出口は、前記行方向に対する両側に配置されており、前記行方向における両側からエアを吹き出し、前記複数のエア吹出口は、前記行方向に対する第１の側方と第２の側方とで、前記行方向において互い違いに配置される。
【発明の効果】
【０００７】
発熱装置を効率的に冷却できるデータセンタを提供することができる。
【図面の簡単な説明】
【０００８】
【図１】データセンタを示す図である。
【図２】図１のＡ−Ａ矢視断面を示す図である。
【図３】電源ゾーンを示す平面図である。
【図４】ＵＰＳ列の設置構造を示す図である。
【図５】電源ゾーンの変形例を示す平面図である。
【発明を実施するための形態】
【０００９】
以下、本発明のデータセンタを適用した実施の形態について説明する。
【００１０】
＜実施の形態＞
図１は、データセンタ１００を示す図である。図２は、図１のＡ−Ａ矢視断面を示す図である。以下では、ＸＹＺ座標系を用いて説明する。Ｚ軸正方向は鉛直上方向である。
【００１１】
データセンタ１００は、建物１１０、複数のサーバ列１２０、及び、複数のＵＰＳ(Uninterruptible Power Supply：無停電電源装置)列１３０を含む。
【００１２】
建物１１０は、床１１１、側壁１１２、傾斜天井１１３、及び冷却装置１１４を有する。図１では、傾斜天井１１３を省略する。建物１１０は、床１１１、側壁１１２、及び傾斜天井１１３によって囲まれた部屋１１０Ａ１、１１０Ａ２、１１０Ａ３、１１０Ａ４、１１０Ａ５、１１０Ａ６、１１０Ｂ１、及び１１０Ｂ２と、廊下１１０Ｃ１及び１１０Ｃ２とを有する。
【００１３】
部屋１１０Ａ１〜１１０Ａ６と、廊下１１０Ｃ１とは、サーバゾーン１１０Ａに含まれている。サーバゾーン１１０Ａは、ラック型のサーバを配置する６個の部屋１１０Ａ１〜１１０Ａ６と、部屋１１０Ａ１〜１１０Ａ６に通じる廊下１１０Ｃ１とを有する。
【００１４】
部屋１１０Ａ１及び１１０Ａ２と、部屋１１０Ａ４及び１１０Ａ５は、サーバゾーン１１０ＡのＹ軸方向の中央で側壁１１２によって仕切られている。部屋１１０Ａ３及び１１０Ａ６は、サーバゾーン１１０ＡのＹ軸負方向の端部からＹ軸正方向の端部まで延在している。このため、部屋１１０Ａ１、１１０Ａ２、１１０Ａ４、及び１１０Ａ５のサイズは、部屋１１０Ａ３及び１１０Ａ６のサイズの半分である。
【００１５】
なお、部屋１１０Ａ１、１１０Ａ２、１１０Ａ４、及び１１０Ａ５にそれぞれ供給可能な電力は、２ＭＷである。また、部屋１１０Ａ３及び１１０Ａ６にそれぞれ供給可能な電力は、４ＭＷである。すべてのサーバ列１２０には、データセンタ１００の外部から電力を取り込んでＵＰＳ列１３０を介して電力が供給される。
【００１６】
このように廊下１１０Ｃ１の両側に配置するサーバ列１２０の消費電力を等しくすることにより、廊下１１０Ｃ１の両側における発熱量の平準化を図っている。
【００１７】
また、部屋１１０Ｂ１及び１１０Ｂ２と廊下１１０Ｃ２は、電源ゾーン１１０Ｂに含まれている。電源ゾーン１１０Ｂは、複数のＵＰＳ列１３０を配置する部屋１１０Ｂ１及び１１０Ｂ２と、部屋１１０Ｂ１及び１１０Ｂ２の間に配置される廊下１１０Ｃ２とを有する。
【００１８】
廊下１１０Ｃ１及び１１０Ｃ２は、Ｙ軸に沿って延在しており、部屋１１０Ａ３、１１０Ａ４、１１０Ａ５、１１０Ｂ１、及び１１０Ｂ２の内部を見ることができるように窓が設けられている。このため、廊下１１０Ｃ１及び１１０Ｃ２から、ＬＥＤ(Light Emitting Diode)照明によって照らされた部屋１１０Ａ３、１１０Ａ４、１１０Ａ５、１１０Ｂ１、及び１１０Ｂ２の内部をショーケースのように見ることができる。
【００１９】
廊下１１０Ｃ１及び１１０Ｃ２は、平面視でＸ軸方向の幅の中心を通るＹ軸に平行な中心軸に対して線対称な形状を有する。
【００２０】
床１１１は、平面視における建物１１０の全体に設けられている。床１１１は、サーバゾーン１１０Ａでは二重床構造になっており、底床の上に、メッシュ状のメッシュ床を設けた構成である。電源ゾーン１１０Ｂの床１１１は、二重床構造にはなっていない。
【００２１】
側壁１１２は、床１１１上の空間を部屋１１０Ａ１〜１１０Ａ６、１１０Ｂ１、及び１１０Ｂ２と、廊下１１０Ｃ１及び１１０Ｃ２とに区切っている。また、側壁１１２は、サーバゾーン１１０Ａと電源ゾーン１１０Ｂとの間では、２枚設けられており、２枚の側壁１１２の間には空間がある。側壁１１２は、Ｚ軸方向において床１１１から傾斜天井１１３まで延在している。
【００２２】
側壁１１２は、排気口１１２Ａを有する。排気口１１２Ａから回収される熱いエアは、データセンタ１１０内で循環され、冷却装置１１４で冷却され、再びサーバゾーン１１０Ａ内の床下にコールドエアとして供給される。また、排気口１１２Ａから回収される熱いエアは、屋根上に設置された室外機を通して外部へ放出してもよい。
【００２３】
部屋１１０Ａ１、１１０Ａ２、１１０Ａ３では、排気口１１２Ａは、傾斜天井１１３が高くなる側（Ｘ軸正方向側）でＹ軸方向に延在する側壁１１２に傾斜天井１１３の真下に設けられている。部屋１１０Ａ４、１１０Ａ５、１１０Ａ６では、排気口１１２Ａは、傾斜天井１１３が最も高くなる側（Ｘ軸負方向側）でＹ軸方向に延在する側壁１１２に傾斜天井１１３の真下に設けられている。
【００２４】
また、部屋１１０Ｂ１では、排気口１１２Ａは、傾斜天井１１３が最も高くなるＸ軸正方向側の端部において、傾斜天井１１３の真下でＹ軸負方向側の側壁１１２に設けられている。なお、部屋１１０Ｂ１と部屋１１０Ａ２及び１１０Ａ３との境界の側壁１１２に、外気に接続される排気機構がある場合には、部屋１１０Ｂ１では、排気口１１２Ａは、傾斜天井１１３が最も高くなるＸ軸正方向側の端部において、傾斜天井１１３の真下でＹ軸正方向側の側壁１１２にも設けられていてもよい。
【００２５】
部屋１１０Ｂ１及び１１０Ｂ２は、側壁１１２及び排気口１１２Ａの構成は、Ｙ軸方向から見て、廊下１１０Ｃ２に対して左右対称である。このため、部屋１１０Ｂ２では、排気口１１２Ａは、傾斜天井１１３が最も高くなるＸ軸負方向側の端部において、傾斜天井１１３の真下でＹ軸負方向側の側壁１１２に設けられている。ＵＳＰ列１３０の熱を奪った熱いエアは、傾斜天井１１３の傾斜に沿って高い方に誘導されるため、傾斜天井１１３の最も高いところの側壁１１２に設けた排気口１１２Ａから熱いエアを回収するためである。
【００２６】
なお、部屋１１０Ｂ１と部屋１１０Ａ２及び１１０Ａ３との境界の側壁１１２に、外気に接続される排気機構がある場合には、部屋１１０Ｂ２では、排気口１１２Ａは、傾斜天井１１３が最も高くなるＸ軸負方向側の端部において、傾斜天井１１３の真下でＹ軸正方向側の側壁１１２にも設けられていてもよい。
【００２７】
傾斜天井１１３は、側壁１１２の上端に接続されている。傾斜天井１１３は、建物１１０の屋根の下側に設けられている。ここでは屋根を省略する。傾斜天井１１３の高さは、廊下１１０Ｃ１及び１１０Ｃ２の上が最も高く、廊下１１０Ｃ１及び１１０Ｃ２よりもＸ軸正方向及びＸ軸負方向に行くに従って低くなっている。傾斜天井１１３の高さは、建物１１０のＸ軸正方向の端とＸ軸負方向の端とが最も低い。このため、建物１１０をＹ軸方向から側面視すると、傾斜天井１１３は、中央に向かって高くなっている。
【００２８】
冷却装置１１４は、外気を冷却するエアコンディショナとしての機能を有し、冷却したエアを吹き出す。冷却装置１１４は、床１１１の上に配置される。
【００２９】
部屋１１０Ａ１〜１１０Ａ６を冷却する冷却装置１１４は、部屋１１０Ａ１及び１１０Ａ２と部屋１１０Ａ３との間の２枚の側壁１１２の間と、部屋１１０Ａ４及び１１０Ａ５と部屋１１０Ａ６との間の２枚の側壁１１２の間とに配置されている。冷却装置１１４は、Ｘ軸方向の両側から、二重構造の床１１１の底床とメッシュ床との間にＸ軸方向にエアを吹き出すように構成されている。図１では、サーバゾーン１１０Ａについてはメッシュ床を示すため、吹出口は見えていない。
【００３０】
また、部屋１１０Ｂ１及び１１０Ｂ２を冷却する冷却装置１１４は、部屋１１０Ｂ１及び１１０Ｂ２の内部で、Ｙ軸正方向側とＹ軸負方向側の側壁１１２に沿って配置されている。Ｙ軸正方向側の冷却装置１１４は、Ｙ軸負方向側にエアの吹出口１１４Ａを有し、Ｙ軸負方向側の冷却装置１１４は、Ｙ軸正方向側にエアの吹出口１１４Ａを有する。部屋１１０Ｂ１及び１１０Ｂ２の中の冷却装置１１４は、Ｙ軸方向にエアを吹き出す。
【００３１】
複数のサーバ列１２０は、部屋１１０Ａ１〜１１０Ａ６の内部に配列されている。各サーバ列１２０は、平面視でＸ軸方向に長く、Ｙ軸方向に短い島状の形状を有している。サーバ列１２０が平面視で島状の形状を有するのは、複数のラックサーバ１２１をＸ軸方向に並べて配置しているからである。ラックサーバ１２１は、ラック型の情報処理装置の一例である。
【００３２】
部屋１１０Ａ１〜１１０Ａ６の内部におけるサーバ列１２０同士のＹ軸方向の間隔は等しく、各サーバ列１２０のＸ軸方向の長さの中心は、部屋１１０Ａ１〜１１０Ａ６のＸ軸方向の長さの中心と一致する。サーバ列１２０の放熱と冷却を平準化するためである。
【００３３】
１つのサーバ列１２０に含まれるラックサーバ１２１の数は、一例として１０個〜２０個である。サーバ列１２０に含まれるラックサーバ１２１の数が１０個の場合は、Ｘ軸方向に１０個のラックサーバ１２１が隣接して配置される。また、１つのラックサーバの中では、一例として１０個〜２０個のサーバがラックに保持された状態で、Ｚ軸方向に重ねて配置されている。
【００３４】
なお、一例として、部屋１１０Ａ１、１１０Ａ２、１１０Ａ４、及び１１０Ａ５の中でＹ軸方向に配列されるサーバ列１２０の数は２０個〜３０個であり、部屋１１０Ａ３及び１１０Ａ６の中でＹ軸方向に配列されるサーバ列１２０の数は４０個〜６０個である。また、部屋１１０Ａ１〜１１０Ａ６の中でＸ軸方向に配列されるサーバ列１２０の数は、一例として１個であるが、複数個であってもよい。
【００３５】
複数のＵＰＳ列１３０は、部屋１１０Ｂ１及び１１０Ｂ２の内部に配列されている。各ＵＰＳ列１３０は、平面視でＹ軸方向に長く、Ｘ軸方向に短い島状の形状を有している。ＵＰＳ列１３０が平面視で島状の形状を有するのは、複数のＵＰＳ１３１をＹ軸方向に並べて配置しているからである。ＵＰＳ１３１は、発熱装置の一例であり、ＵＰＳ列１３０は、発熱装置列の一例である。
【００３６】
部屋１１０Ｂ１及び１１０Ｂ２の内部におけるＵＰＳ列１３０同士のＸ軸方向の間隔は等しく、各ＵＰＳ列１３０のＹ軸方向の長さの中心は、部屋１１０Ｂ１及び１１０Ｂ２のＹ軸方向の長さの中心と一致する。ＵＰＳ列１３０の放熱と冷却を平準化するためである。
【００３７】
１つのＵＰＳ列１３０に含まれるＵＰＳ１３１の数は、一例として１０個〜２０個である。ＵＰＳ列１３０に含まれるＵＰＳ１３１の数が１０個の場合は、Ｙ軸方向に１０個のＵＰＳ１３１が隣接して配置される。
【００３８】
なお、一例として、部屋１１０Ｂ１及び１１０Ｂ２の中でＸ軸方向に配列されるＵＰＳ列１３０の数は２０個〜３０個である。また、部屋１１０Ｂ１及び１１０Ｂ２の中でＹ軸方向に配列されるＵＰＳ列１３０の数は、一例として１個であるが、複数個であってもよい。
【００３９】
以下では、電源ゾーン１１０Ｂでは、ＵＰＳ列１３０の中で複数のＵＰＳ１３１が配列される方向（Ｙ軸方向）を列方向と称し、複数のＵＰＳ列１３０が配列される方向（Ｘ軸方向）を行方向と称す。
【００４０】
次に、電源ゾーン１１０Ｂの構成について、図１及び図２に加えて図３を用いて説明する。図３は、電源ゾーン１１０Ｂを示す平面図である。
【００４１】
部屋１１０Ｂ１及び１１０Ｂ２は、Ｙ軸方向から見ると、廊下１１０Ｃ２に対して左右対称である。換言すれば、部屋１１０Ｂ１と１１０Ｂ２は、Ｙ軸方向から見ると、廊下１１０Ｃ２のＸ軸方向における中央をＺ軸方向に通る直線を対称軸として線対称である。部屋１１０Ｂ１は、第１の部屋の一例であり、部屋１１０Ｂ２は、第２の部屋の一例である。
【００４２】
側壁１１２、排気口１１２Ａ、傾斜天井１１３、冷却装置１１４、吹出口１１４Ａ、及び複数のＵＰＳ列１３０は、Ｙ軸方向から見ると、廊下１１０Ｃ２に対して左右対称である。左右対称の意味は、部屋１１０Ｂ１及び１１０Ｂ２と同様である。
【００４３】
また、側壁１１２、排気口１１２Ａ、傾斜天井１１３、冷却装置１１４、吹出口１１４Ａ、及び複数のＵＰＳ列１３０は、平面視において、廊下１１０Ｃ２に対して左右対称である。換言すれば、側壁１１２、排気口１１２Ａ、傾斜天井１１３、冷却装置１１４、吹出口１１４Ａ、及び複数のＵＰＳ列１３０は、平面視において、廊下１１０Ｃ２のＸ軸方向における中央をＹ軸方向に通る直線を対称軸として線対称に配置されている。
【００４４】
以上のように、部屋１１０Ｂ１及び１１０Ｂ２、側壁１１２、排気口１１２Ａ、傾斜天井１１３、冷却装置１１４、及び複数のＵＰＳ列１３０を廊下１１０Ｃ２に対して左右対称な配置にしているのは、部屋１１０Ｂ１及び１１０Ｂ２の内部のＵＰＳ列１３０の冷却特性を等しくするためである。
【００４５】
データセンタ１００は、上述のような左右対称な構成を有するため、以下では、部屋１１０Ｂ１に関する構成について説明する。
【００４６】
傾斜天井１１３は、部屋１１０Ｂ１では、Ｘ軸負方向側からＸ軸正方向側に向かって高くなるように傾斜している。部屋１１０Ｂ１では、Ｘ軸負方向側は第１側の一例であり、Ｘ軸正方向側は第２側の一例である。
【００４７】
ＵＰＳ列１３０は、図４に示すように、床１１１の上にスラブ１３２を介して配置されている。ＵＰＳ列１３０には、Ｙ軸方向における両側に位置する冷却装置１１４の吹出口１１４Ａからエアが吹き付けるように構成されている。ＵＰＳ列１３０に吹き付けるエアは、ＵＰＳ列１３０の隙間等を通り抜け、ＵＰＳ列１３０の熱を奪い、熱いエアとなってＵＰＳ列１３０の上側（Ｚ軸正方向側）から抜ける。
【００４８】
複数のＵＰＳ列１３０は、Ｘ軸方向に配列されており、各ＵＰＳ列１３０は列状に配列される複数のＵＰＳ１３１を含む。複数のＵＰＳ列１３０の高さは、一例としてすべて等しい。
【００４９】
したがって、複数のＵＰＳ列１３０の各々と、傾斜天井１１３とのクリアランスは、Ｘ軸負方向側からＸ軸正方向側に向かって大きくなっている。ＵＰＳ列１３０の熱を奪い取り、ＵＰＳ列１３０の下方から上方に吹き抜けるエアは、傾斜天井１１３の低い方から高い方に誘導される。このため、傾斜天井１１３の高い方に熱いエアが誘導される。すなわち、傾斜天井１１３の高い方に熱いエアが集められる。
【００５０】
このため、傾斜天井１１３の高い方において、ＵＰＳ列１３０と傾斜天井１１３とのクリアランスを大きくし、熱いエアを集められる空間を設けている。
【００５１】
また、複数のＵＰＳ列１３０の各々に含まれるＵＰＳ１３１の数は、Ｘ軸負方向側よりもＸ軸正方向側の方が少なくされていてもよい。Ｘ軸方向において、傾斜天井１１３が高いＸ軸正方向側は、ＵＰＳ列１３０から熱を奪って熱くなったエアが集まる。このため、ＵＰＳ１３１の数をＸ軸正方向側で少なくすれば、Ｘ軸方向における複数のＵＰＳ列１３０の冷却効率をより均等にすることができる。
【００５２】
また、Ｘ軸方向において隣り合う２個のＵＰＳ列１３０同士の間隔は、すべて等しい。Ｘ軸方向における複数のＵＰＳ列１３０の冷却効率を平準化するためである。
【００５３】
冷却装置１１４は、エア吹出装置の一例であり、複数のＵＰＳ列１３０に対してＸ軸方向に対する側方（Ｙ軸正方向側及びＹ軸負方向側）に配置される複数の吹出口１１４Ａを有し、複数の吹出口１１４Ａから列方向にエアを吹き出す。
【００５４】
冷却装置１１４は、Ｙ軸正方向側及びＹ軸負方向側の側壁１１２の底部において、吹出口１１４Ａが位置する正面とは反対の背面が側壁１１２に接するように設けられている。このため冷却装置１１４は、部屋１１０Ｂ１の内部に位置する。
【００５５】
冷却装置１１４は、室温よりも低い所定温度の冷却エアを吹き出す。冷却装置１１４は、図４に示すように、床１１１よりも高い位置に設けられる吹出口１１４Ａを有する。吹出口１１４Ａの下端の高さ方向における位置は、スラブ１３２の上端よりも高い。このため、図４に示すように、吹出口１１４Ａと床１１１との間には高低差が設けられる。高低差は、高さ方向の間隔であり、約１インチから数インチ程度である。
【００５６】
このように、吹出口１１４Ａを床１１１よりも高い位置に配置することにより、吹出口１１４Ａから噴射されるエアが、床１１１に吹き降りるようになり、より遠くまでエアを供給することができる。また、床１１１に水や埃が溜まった場合に、冷却装置１１４の内部への水や埃の浸入を抑制することができる。
【００５７】
冷却装置１１４は、Ｙ軸正方向側及びＹ軸負方向側の側壁１１２に設けられているため、吹出口１１４Ａは、ＵＰＳ列１３０に対して、Ｘ軸方向に対する両側（Ｙ軸正方向側及びＹ軸負方向側）に配置されており、Ｘ軸方向に対する両側からエアを吹き出す。このため、隣り合うＵＰＳ列１３０同士の間にエアが効率的に導入され、すべてのＵＰＳ列１３０を効率的に冷却することができる。
【００５８】
また、図３に示すように、複数の冷却装置１１４は、Ｘ軸方向に対する一方側と他方側とで、Ｘ軸方向において互い違いに配置される。このため、複数の吹出口１１４Ａは、Ｘ軸方向に対する一方側と他方側とで、Ｘ軸方向において互い違いに配置される。したがって、隣り合うＵＰＳ列１３０同士の間に互い違いの方向からエアが効率的に導入され、すべてのＵＰＳ列１３０を効率的に冷却することができる。
【００５９】
また、吹出口１１４Ａの上端の床１１１からの高さは、床１１１と傾斜天井１１３との高さの半分以下に設定されている。このため、ＵＰＳ列１３０の下側を中心にエアを吹き付けることができ、すべてのＵＰＳ列１３０を効率的に冷却することができる。
【００６０】
また、排気口１１２Ａは、傾斜天井１１３が最も高くなるＸ軸正方向側の端部において、傾斜天井１１３の真下でＹ軸負方向側の側壁１１２に設けられている。傾斜天井１１３の真下とは、傾斜天井１１３よりも低い位置で、可能な限り高い位置をいう。
【００６１】
排気口１１２Ａを可能な限り高い位置に設けることにより、傾斜天井１１３の最も高い位置に誘導される熱いエアを排気口１１２Ａから回収するためである。
【００６２】
排気口１１２Ａを設置するには、側壁１１２の内部構造及び傾斜天井１１３の内部構造等による制約が生じる場合がある。このため、排気口１１２Ａの高さは、Ｘ軸負方向側における傾斜天井１１３の高さ以上であることが好ましい。排気口１１２Ａが傾斜天井１１３の最も低い部分よりも高い位置にあれば、熱いエアを排気口１１２Ａから効率的に回収できるからである。
【００６３】
また、この場合に、排気口１１２Ａの上端がＸ軸負方向側における傾斜天井１１３の高さ以上であればよい。排気口１１２Ａの上端が傾斜天井１１３の最も低い部分よりも高い位置にあれば、熱いエアを排気口１１２Ａから効率的に回収できるからである。
【００６４】
以上のように、冷却装置１１４は、ＵＰＳ列１３０の列に沿う方向（Ｙ軸方向）にエアを吹き出す。また、傾斜天井１１３は、Ｘ軸負方向側からＸ軸正方向側に向かって高くなっている。
【００６５】
このため、図３にＹ軸方向の矢印Ａで示すように冷却装置１１４からエアが吹き出され、ＵＰＳ列１３０の下側から上側に吹き抜ける際にＵＰＳ列１３０を冷却し、熱くなったエアは矢印Ｂで示すように、傾斜天井１１３の高い方に誘導される。
【００６６】
したがって、ＵＰＳ列１３０を効率的に冷却できるデータセンタ１００を提供することができる。
【００６７】
また、排気口１１２Ａは、傾斜天井１１３が最も高くなるＸ軸方向の端部において、傾斜天井１１３の真下でＹ軸負方向側の側壁１１２に設けられている。このため、傾斜天井１１３の最も高い位置に誘導される熱いエアを排気口１１２Ａから効率的に回収することができる。
【００６８】
なお、以上では、発熱装置がＵＰＳ列１３０である形態について説明した。しかしながら、複数のサーバ列１２０をＵＰＳ列１３０と同様に配置してもよい。
【００６９】
また、以上では、冷却装置１１４が部屋１１０Ｂ１及び１１０Ｂ２の内部に設けられる形態について説明した。しかしながら、図５に示すように、冷却装置１１４が複数の吹出口１１４Ａに冷却したエアを送る送風装置１１４Ｂを有する場合には、送風装置１１４Ｂは、部屋１１０Ｂ１及び１１０Ｂ２の外部に配置されていてもよい。送風装置１１４Ｂは、外気を冷却するエアコンディショナとしての機能を有し、冷却したエアを部屋１１０Ｂ１及び１１０Ｂ２の内部の吹出口１１４Ａに送出する。
【００７０】
以上、本発明の例示的な実施の形態のデータセンタについて説明したが、本発明は、具体的に開示された実施の形態に限定されるものではなく、特許請求の範囲から逸脱することなく、種々の変形や変更が可能である。
【００７１】
尚、本国際出願は、２０１８年１１月５日に出願した米国特許出願１６／１８０，５４５に基づく優先権を主張するものであり、その全内容は本国際出願にここでの参照により援用されるものとする。
【要約】
発熱装置を効率的に冷却できるデータセンタを提供する。
データセンタは、床と、前記床上の空間を部屋に仕切る側壁と、前記床上に行方向に配列される複数の発熱装置列であって、各発熱装置列は列状に配列される複数の発熱装置を含む、複数の発熱装置列と、前記複数の発熱装置列に対して前記行方向に対する側方に配置される複数のエア吹出口を有し、前記複数のエア吹出口から列方向にエアを吹き出すエア吹出装置と、前記行方向における第１側から第２側に向かって高さが高くなる傾斜天井とを含む。【図１】
0006613012.tif 000002
【図２】
0006613012.tif 000003
【図３】
0006613012.tif 000004
【図４】
0006613012.tif 000005
【図５】
0006613012.tif 000006